(57)【要約】【課題】色の変化と組合せによる立体的なモアレ模様を現出することができる立体模様装飾板を提供する。【解決手段】立体模様装飾板１Ａの表面を見ると、第１パターン３Ａの各網点３Ａａ…と重なり合う部分では、第２パターン４Ａの各網点４Ａａ，４Ａｂ，４Ａｃの少なくとも一つの色又は複数の色の視認が遮られる。第２パターン４Ａの各網点３Ａａ…から第２パターン４Ａの各網点４Ａａ，４Ａｂ，４Ａｃの少なくとも一つの色又は複数の色を視認することができる。見る方向及び見る角度が変化すると、第１パターン３Ａの各網点３Ａａ…の間から視認することができる第２パターン４Ａの各網点４Ａａ，４Ａｂ，４Ａｃの色も変化する。第１パターン３Ａの各網点３Ａａ…と第２パターン４Ａの各網点４Ａａ，４Ａｂ，４Ａｃとの重なり合う部分も変化するため、色の変化と組合せによる立体的なモアレ模様を現出することができる。【選択図】図１
2009018434.tif 000002
【特許請求の範囲】
【請求項１】
透光性を有する装飾板の表面に、所定の色に配色された複数の各網点からなる第１パターンを印刷し、
前記装飾板の裏面に、前記第１パターンとは異なる色に配色され、個々に異なる色に配色された複数の各網点からなる第２パターンを印刷し、
前記第１パターンの各網点を、前記第２パターンの各網点の少なくとも一つの色又は複数の色が視認されるピッチ間隔に隔てて複数配列し、
前記第２パターンの各網点を、前記第１パターンの各網点と対応して所定のピッチ間隔に隔てて色別に複数配列したことを特徴とする
立体模様装飾板。
【請求項２】
前記第１パターンの各網点と重なり合う位置に、前記第２パターンの中から選択した一つの色又は複数の色の各網点を配置し、
前記第１パターンの各網点の間と対向する位置に、前記第１パターンの各網点と重なり合う位置に配置した前記第２パターンの各網点とは異なる色に配色された残りの各網点を色別に配置したことを特徴とする
請求項１に記載の立体模様装飾板。
【請求項３】
透光性を有する装飾板の表面に、所定の色に配色された複数の各縞線からなる第１パターンをストライプ状に印刷し、
前記装飾板の裏面に、前記第１パターンとは異なる色に配色され、個々に異なる色に配色された複数の各網点からなる第２パターンを印刷し、
前記第１パターンの各縞線を、前記第２パターンの各網点の少なくとも一つの色又は複数の色が視認されるピッチ間隔に隔てて複数配列し、
前記第２パターンの各網点を、前記第１パターンの各縞線と平行して所定のピッチ間隔に隔てて色別に複数配列したことを特徴とする
立体模様装飾板。
【請求項４】
前記第１パターンの各縞線と重なり合う位置に、前記第２パターンの中から選択した一つの色又は複数の色の各網点を配置し、
前記第１パターンの各縞線の間と対向する位置に、前記第１パターンの各縞線と重なり合う位置に配置した前記第２パターンの各網点とは異なる色に配色された残りの各網点を色別に配置したことを特徴とする
請求項３に記載の立体模様装飾板。
【請求項５】
透光性を有する装飾板の表面に、所定の色に配色された複数の各横線と各縦線とからなる第１パターンを格子状に印刷し、
前記装飾板の裏面に、前記第１パターンとは異なる色に配色され、個々に異なる色に配色された複数の各網点からなる第２パターンを桝目状に印刷し、
前記第１パターンの各横線及び各縦線を、前記第２パターンの各網点の少なくとも一つの色又は複数の色が視認されるピッチ間隔に隔てて複数配列し、
前記第２パターンの各網点を、前記第１パターンの各横線及び各縦線と平行して所定のピッチ間隔に隔てて色別に複数配列したことを特徴とする
立体模様装飾板。
【請求項６】
前記第１パターンの各横線及び各縦線と重なり合う位置に、前記第２パターンの中から選択した一つの色又は複数の色の各網点を配置し、
前記第１パターンの各横線と各縦線との間に形成された各開口部と対向する位置に、前記第２パターンの中から選択した一つの色の各網点を配置したことを特徴とする
請求項５に記載の立体模様装飾板。
【請求項７】
前記装飾板を、柔軟不可な硬さを有するプレート又は柔軟性を有するシートで構成したことを特徴とする
請求項１〜６のいずれか一つに記載の立体模様装飾板。
【発明の詳細な説明】
【技術分野】
【０００１】
この発明は、例えばゲームセンターや遊戯場に設置されるゲーム機、遊技機、或いは、宣伝や案内、装飾等に用いられる立体模様装飾板に関する。
【背景技術】
【０００２】
従来、上述の立体模様装飾板としては、例えば透明基材の表面側と裏面側に印刷された二つのパターン模様を重ね合わせて一つの合成図柄が得られるようにしている。特に、各パターン模様を灰色の網点で成る網点模様にして、透明基材の裏面側に黒色塗料の塗膜を形成した特許文献１の表面加工品がある。
【特許文献１】特開平１１−３４８２２３号公報
【発明の開示】
【発明が解決しようとする課題】
【０００３】
しかし、前記表面加工品は、表面加工品を表面から見た場合、表面に印刷された各網点の間から、裏面に印刷された一つの色の各網点が見えるが、表面加工品を斜め方向から見た場合、網点が印刷されていない部分が見えるだけであり、見る方向及び見る角度が変化しても、色の変化が得られない。
【０００４】
この発明は前記問題に鑑み、色の変化と組合せによる立体的なモアレ模様を現出することができる立体模様装飾板の提供を目的とする。
【課題を解決するための手段】
【０００５】
請求項１に記載した発明の立体模様装飾板は、透光性を有する装飾板の表面に、所定の色に配色された複数の各網点からなる第１パターンを印刷し、前記装飾板の裏面に、前記第１パターンとは異なる色に配色され、個々に異なる色に配色された複数の各網点からなる第２パターンを印刷し、前記第１パターンの各網点を、前記第２パターンの各網点の少なくとも一つの色又は複数の色が視認されるピッチ間隔に隔てて複数配列し、前記第２パターンの各網点を、前記第１パターンの各網点と対応して所定のピッチ間隔に隔てて色別に複数配列したことを特徴とする。
【０００６】
この発明によると、立体模様装飾板の表面を正面又は斜めから見た場合、第１パターンの各網点と重なり合う部分では、第２パターンの各網点の少なくとも一つの色又は複数の色の視認が遮られる。しかし、第１パターンの各網点の間から第２パターンの各網点の少なくとも一つの色又は複数の色を認識することができる。つまり、立体模様装飾板の表面を見る方向及び見る角度が変化すると、第１パターンの各網点の間から視認することができる第２パターンの各網点の色も変化する。また、第１パターンの各網点と第２パターンの各網点との重なり合う部分も変化するため、色の変化による立体的なモアレ模様を現出することができる。
【０００７】
前記装飾板は、例えば合成樹脂、ガラス等の透光性を有するもので構成することができる。また、裏面に印刷されたパターンを表面から透視し得る程度に透明であれば、所望する色彩に着色された半透明のもので構成してもよい。なお、装飾板を合成樹脂で構成する場合、例えばポリエチレン、ポリプロピレン、ポリエステル、アクリル、ナイロン、塩化ビニル等を用いることができる。
【０００８】
また、第１パターン及び第２パターンの網点は、例えば正方形、矩形、三角形、五角形、楕円形、菱形、星形、ハート形、花形、雲形等で構成することができる。また、網点の色は、例えば黒色、白色、赤色、黄色、青色、緑色等の所望する色で構成することができる。
【０００９】
また、プレート状の装飾板を用いる場合、耐候性及び強度の点において柔軟不可な硬さを有するアクリル製のプレートを用いるのが好ましく、例えば１ｍｍ〜３ｍｍの範囲に含まれる肉厚のプレートを用いるが、１ｍｍ以下又は３ｍｍ以上の肉厚を有するプレートを用いてもよい。また、シート状の装飾板を用いる場合、例えば１ｍｍ以下の肉厚で、柔軟性を有する塩化ビニル製のシートを用いるのが好ましい。
【００１０】
請求項２に記載した発明の立体模様装飾板は、前記請求項１に記載の構成と併せて、前記第１パターンの各網点と重なり合う位置に、前記第２パターンの中から選択した一つの色の各網点を配置し、前記第１パターンの各網点と重なり合う位置に配置された前記第２パターンの各網点の側部に、該各網点とは異なる色に配色された残りの各網点を色別に配置したことを特徴とする。
【００１１】
この発明によると、第１パターンの各網点と重なり合う部分に配置された第２パターンの一つの色の網点又は複数の色の各網点の視認が遮られる。第１パターンの各網点の間から該各網点との重なり合いが回避された第２パターンの残りの色の各網点を視認することができる。
【００１２】
請求項３に記載した発明の立体模様装飾板は、透光性を有する装飾板の表面に、所定の色に配色された複数の各縞線からなる第１パターンをストライプ状に印刷し、前記装飾板の裏面に、前記第１パターンとは異なる色に配色され、個々に異なる色に配色された複数の各網点からなる第２パターンを印刷し、前記第１パターンの各縞線を、前記第２パターンの各網点の少なくとも一つの色又は複数の色が視認されるピッチ間隔に隔てて複数配列し、前記第２パターンの各網点を、前記第１パターンの各縞線と平行して所定のピッチ間隔に隔てて色別に複数配列したことを特徴とする。
【００１３】
この発明によると、立体模様装飾板の表面を正面又は斜めから見た場合、第１パターンの各縞線と重なり合う部分では、第２パターンの各網点の少なくとも一つの色又は複数の色の視認が遮られる。しかし、第１パターンの各縞線の間から第２パターンの各網点の少なくとも一つの色又は複数の色を認識することができる。つまり、立体模様装飾板の表面を見る方向及び見る角度が変化すると、第１パターンの各縞線の間から視認することができる第２パターンの各網点の色も変化する。また、第１パターンの各縞線と第２パターンの各網点との重なり合う部分も変化するため、色の変化による立体的なモアレ模様を現出することができる。
【００１４】
請求項４に記載した発明の立体模様装飾板は、前記請求項３に記載の構成と併せて、前記第１パターンの各縞線と重なり合う位置に、前記第２パターンの中から選択した一つの色の網点又は複数の色の各網点を配置し、前記第１パターンの各縞線の間と対向する位置に、前記第１パターンの各縞線と重なり合う位置に配置した前記第２パターンの網点とは異なる色に配色された残りの各網点を色別に配置したことを特徴とする。
【００１５】
この発明によると、第１パターンの各縞線と重なり合う部分に配置された第２パターンの一つの色の網点又は複数の色の各網点の視認が遮られる。第１パターンの各縞線の間から該各縞線との重なり合いが回避された第２パターンの残りの色の各網点を視認することができる。
【００１６】
請求項５に記載した発明の立体模様装飾板は、透光性を有する装飾板の表面に、所定の色に配色された複数の各横線と各縦線とからなる第１パターンを格子状に印刷し、前記装飾板の裏面に、前記第１パターンとは異なる色に配色され、個々に異なる色に配色された複数の各網点からなる第２パターンを桝目状に印刷し、前記第１パターンの各横線及び各縦線を、前記第２パターンの各網点の少なくとも一つの色又は複数の色が視認されるピッチ間隔に隔てて複数配列し、前記第２パターンの各網点を、前記第１パターンの各横線及び各縦線と平行して所定のピッチ間隔に隔てて色別に複数配列したことを特徴とする。
【００１７】
この発明によると、立体模様装飾板の表面を正面又は斜めから見た場合、第１パターンの各横線及び各縦線と重なり合う部分では、第２パターンの各網点の少なくとも一つの色又は複数の色の視認が遮られる。しかし、第１パターンの各横線と各縦線との間から第２パターンの各網点の少なくとも一つの色又は複数の色を視認することができる。つまり、立体模様装飾板の表面を見る方向及び見る角度が変化すると、第１パターンの各横線と各縦線との間から視認することができる第２パターンの各網点の色も変化する。また、第１パターンの各横線及び各縦線と第２パターンの各網点との重なり合う部分も変化するため、色の変化による立体的なモアレ模様を現出することができる。
【００１８】
請求項６に記載した発明の立体模様装飾板は、前記請求項５に記載の構成と併せて、前記第１パターンの各横線及び各縦線と重なり合う位置に、前記第２パターンの中から選択した一つの色又は複数の色の各網点を配置し、前記第１パターンの各横線と各縦線との間に形成された各開口部と対向する位置に、前記第２パターンの中から選択した一つの色の各網点を配置したことを特徴とする。
【００１９】
この発明によると、第１パターンの各横線及び各縦線と重なり合う部分に配置された第２パターンの一つの色の網点又は複数の色の各網点の視認が遮られる。第１パターンの各横線と各縦線との間に形成された各開口部から、各横線及び各縦線との重なり合いが回避された第２パターンの残りの色の各網点を視認することができる。
【００２０】
請求項７に記載した発明の立体模様装飾板は、前記請求項１〜６のいずれか一つに記載の構成と併せて、前記装飾板を、柔軟不可な硬さを有するプレート又は柔軟性を有するシートで構成したことを特徴とする。
【００２１】
この発明によると、立体模様装飾板を使用する目的や用途、場所等の様々な状況に応じて、プレート又はシートの何れか一方を選択することができる。
【発明の効果】
【００２２】
この発明によれば、立体模様装飾板の表面を目視する際に、装飾板の表面に現出される色が見る方向及び見る角度によって変化し、その色の変化と組合せによる立体的なモアレ模様が現出されるので、色の変化、モアレ模様の変化等を視覚的に楽しむことができる。例えば宣伝、案内、商品の販売等の様々な用途及び目的に利用すれば、人の注目を集めやすく、高い視覚的効果が得られる。
【発明を実施するための最良の形態】
【００２３】
この発明は、色の変化と組合せによる立体的なモアレ模様を現出することができるという目的を、透光性を有する装飾板の表面に、所定の色に配色された複数の各網点からなる第１パターンを印刷し、前記装飾板の裏面に、前記第１パターンとは異なる色に配色され、個々に異なる色に配色された複数の各網点からなる第２パターンを印刷することで達成した。
【実施例】
【００２４】
この発明の一実施例を以下図面に基づいて詳述する。  
図面は、色の変化と組合せによる立体的なモアレ模様を現出することができる立体模様装飾板の第１実施例を示している。図１〜図３に於いて、この立体模様装飾板１Ａは、柔軟不可な硬さ及び透光性を有する合成樹脂で形成した装飾板２Ａの表面に、単一色（白色）に配色された各網点３Ａａ…からなる第１パターン３Ａを所定角度に傾斜してストライプ状にスクリーン印刷している（図２−ａ参照）。また、装飾板２Ａの裏面には、第１パターン３Ａの各網点３Ａａ…とは異なる色に配色された複数色（赤色、黄色、青色）の各網点４Ａａ，４Ａｂ，４Ａｃからなる第２パターン４Ａを、第１パターン３Ａの各網点３Ａａ…と同一角度に傾斜してストライプ状にスクリーン印刷している（図２−ｂ参照）。なお、第１パターン３Ａの各網点３Ａａ…を、透光性を有する半透明の塗料で印刷してもよい。
【００２５】
第１パターン３Ａは、不透明な白色（ホワイト）の塗料からなるドット状の各網点３Ａａ…を、装飾板２Ａの表面に対して所定角度に傾斜してストライプ状にスクリーン印刷している（図２−ａ参照）。また、各網点３Ａａ…は、２個の各網点３Ａａ，３Ａａを並列に配置した距離と対応するピッチ間隔に隔てて縦方向及び横方向に対して複数配列している。また、各網点３Ａａ…の間は、各網点４Ａａ，４Ａｂ，４Ａｃの少なくとも一つの色又は複数の色の視認が許容されるピッチ間隔に隔てて配列しているが、例えば１個の網点３Ａａと対応するピッチ間隔、或いは、３個、４個等の各網点３Ａａ…を並列に配置した距離と対応するピッチ間隔に変更してもよい。
【００２６】
また、各網点３Ａａ…は、各網点４Ａａ，４Ａｂ，４Ａｃの少なくとも一つの色が覆い隠される大きさ及び形状に形成しているが、隣り合う各網点４Ａａ，４Ａｂ，４Ａｃの一部が重複して覆い隠されるような大きさ及び形状に形成してもよい。一方、各網点４Ａａ，４Ａｂ，４Ａｃは、各網点３Ａａ…と同一の大きさ及び形状に形成している。
【００２７】
第２パターン４Ａは、赤色（マゼンタ）の塗料からなるドット状の各網点４Ａａ…と、黄色（イエロー）の塗料からなるドット状の各網点４Ａｂ…と、青色（シアン）の塗料からなるドット状の各網点４Ａｃ…とを、複数配列された各網点３Ａａ…と同一のピッチ間隔に隔てて同一のパターンに印刷している（図２−ｂ参照）。
【００２８】
また、各網点４Ａａ，４Ａｂ，４Ａｃは、ストライプ状の各網点３Ａａ…と平行して赤色、黄色、青色の色別に配列しているが、実施例以外の色の配列に変更してもよい。また、各網点４Ａａ，４Ａｂ，４Ａｃは、各網点３Ａａ…の間から一部又は全体が視認される大きさ及び形状に形成している。
【００２９】
また、各網点４Ａａ…は、正面から見て第１パターン３Ａの各網点３Ａａ…と重なり合う位置に配置している。また、各網点４Ａｂ…は、各網点４Ａａ…の隣に配置され、各網点３Ａａ…の間であって該各網点３Ａａ…との重なり合いが回避される位置に配列している。また、各網点４Ａｃ…は、各網点４Ａｂ…の隣に配置され、各網点３Ａａ…の間であって該各網点３Ａａ…との重なり合いが回避される位置に配列している。
【００３０】
なお、各網点４Ａｂ…又は各網点４Ａｃ…のいずれか一方を、第１パターン３Ａの各網点３Ａａ…と重なり合う位置に配置するか、各網点４Ａａ，４Ａｂ，４Ａｃを、各網点３Ａａ…により一部が重複して覆い隠される位置に配置する等してもよい。或いは、第１パターン３Ｂの各縞線３Ｂａ…の周辺に、各縞線３Ｂａ…を中心として、第２パターン４Ａの各網点４Ａａ，４Ａｂ，４Ａｃを所定角度に隔てて配置してもよい。
【００３１】
また、第１パターン３Ａの網点３Ａａと、第２パターン４Ａの各網点４Ａａ，４Ａｂ，４Ａｃとを実施例以外の色に変更する等してもよく、実施例とは異なる色の変化、モアレ模様の変化が得られる。また、第１パターン３Ａの網点３Ａａと異なる色であれば、第２パターン４Ａの各網点４Ａａ，４Ａｂ，４Ａｃを、赤色、黄色、青色以外の色に変更してもよい。或いは、第２パターン４Ａの各網点４Ａａ，４Ａｂ，４Ａｃと異なる色であれば、第１パターン３Ａの網点３Ａａを、白色、赤色、黄色、青色以外の色に変更してもよい。
【００３２】
前記立体模様装飾板１Ａにより色の変化と組合せによる立体的なモアレ模様を現出する方法を説明する。
【００３３】
先ず、立体模様装飾板１Ａの表面を正面（Ｚ方向）から見た場合、第１パターン３Ａの各網点３Ａａ…と、第２パターン４Ａの各網点４Ａａ…とが互いに重なり合う部分では、各網点３Ａａ…により各網点４Ａａ…の視認が遮られる。或いは、各網点４Ａａ…の隣りに配置された各網点４Ａｂ…又は各網点４Ａｃ…の視認が重複して遮られる。したがって、各網点４Ａａ…と、各網点４Ａｂ…及び各網点４Ａｃ…の一部の色は表面から認識することができない。しかし、各網点３Ａａ…の間は、各網点４Ａａ，４Ａｂ，４Ａｃの少なくとも２色の視認が許容される間隔に隔てられているので、装飾板２Ａを透して、各網点３Ａａ…の間から各網点４Ａｂ…及び各網点４Ａｃ…と、各網点４Ａａ…の一部の色とを表面から認識することができる。
【００３４】
立体模様装飾板１Ａの表面を右斜め（Ｘ方向）から見た場合、第１パターン３Ａの各網点３Ａａ…と、第２パターン４Ａの各網点４Ａｂ…とが互いに重なり合う部分では、各網点３Ａａ…により各網点４Ａｂ…の視認が遮られる。或いは、各網点４Ａｂ…の隣りに配置された各網点４Ａａ…又は各網点４Ａｃ…の視認が重複して遮られる。したがって、各網点４Ａｂ…と、各網点４Ａａ…又は各網点４Ａｃ…の一部の色は表面から認識することができない。しかし、各網点３Ａａ…の間は、各網点４Ａａ，４Ａｂ，４Ａｃの少なくとも２色の視認が許容される間隔に隔てられているので、装飾板２Ａを透して、各網点３Ａａ…の間から各網点４Ａａ…及び各網点４Ａｃ…と、各網点４Ａｂ…の一部の色とを表面から認識することができる。
【００３５】
立体模様装飾板１Ａの表面を左斜め（Ｙ方向）から見た場合、第１パターン３Ａの各網点３Ａａ…と、第２パターン４Ａの各網点４Ａｃ…とが互いに重なり合う部分では、各網点３Ａａ…により各網点４Ａｃ…の視認が遮られる。或いは、各網点４Ａｃ…の隣りに配置された各網点４Ａａ…又は各網点４Ａｂ…の視認が重複して遮られる。したがって、各網点４Ａｃ…と、各網点４Ａａ…又は各網点４Ａｂ…の一部の色は表面から認識することができない。しかし、各網点３Ａａ…の間は、各網点４Ａａ，４Ａｂ，４Ａｃの少なくとも２色の視認が許容される間隔に隔てられているので、装飾板２Ａを透して、第１パターン３Ａの各網点３Ａａ…の間から第２パターン４Ａの各網点４Ａａ…及び各網点４Ａｂ…と、各網点４Ａｃ…の一部の色とを表面から認識することができる。
【００３６】
つまり、立体模様装飾板１Ａの表面を見る方向及び見る角度によって、第１パターン３Ａの各網点３Ａａ…の間から視認することができる第２パターン４Ａの各網点４Ａａ，４Ａｂ，４Ａｃの色が変化する。また、第１パターン３Ａの各網点３Ａａ…と第２パターン４Ａの各網点４Ａａ，４Ａｂ，４Ａｃとの重なり合う部分も変化するため、色の変化と組合せによる立体的なモアレ模様を現出することができる。また、装飾板２のレンズ効果により、第２パターン４Ａの各網点４Ａａ，４Ａｂ，４Ａｃの少なくとも２色が浮き上がって見えるため、立体的な視覚効果が得られる。
【００３７】
以上のように、立体模様装飾板１Ａの表面を目視する際に、装飾板２を介して、表面に現出される第２パターン４Ａの各網点４Ａａ，４Ａｂ，４Ａｃの色が見る方向及び見る角度によって変化するとともに、その色の変化と組合せによる立体的なモアレ模様が現出されるので、色の変化、モアレ模様の変化等を視覚的に楽しむことができる。例えば宣伝、案内、商品の販売等の様々な用途及び目的に利用すれば、人の注目を集めやすく、高い視覚的効果が得られる。
【００３８】
また、例えば文字や絵、図柄、模様等の表示内容を、第１パターン３Ａの網点３Ａａ及び第２パターン４Ａの各網点４Ａａ，４Ａｂ，４Ａｃの少なくとも一方により表示してもよく、その表示内容を、色の変化と組合せにより立体的に現出することができる。
【００３９】
また、第１パターン３Ａの網点３Ａａ及び第２パターン４Ａの各網点４Ａａ，４Ａｂ，４Ａｃの少なくとも一方を、一方から他方に向けて徐々に粗状態となるように印刷するか、蜜状態となるように印刷してもよく、第１パターン３Ａ及び第２パターン４Ａの濃度が徐々に薄くなるようなグラデーション、或いは、徐々に濃くなるようなグラデーションを現出することができる。
【００４０】
図３は、装飾板２Ｂの表面にストライプ状の第１パターン３Ｂをスクリーン印刷した立体模様装飾板１Ｂの第２実施例を示している。この立体模様装飾板１Ｂは、装飾板２Ｂの表面に、単一色（白色）に配色された各縞線３Ｂａ…からなる第１パターン３Ｂを所定角度に傾斜してストライプ状にスクリーン印刷している（図３−ａ参照）。また、装飾板２Ｂの裏面には、第１パターン３Ｂの各縞線３Ｂａ…とは異なる色に配色された複数色（赤色、黄色、青色）の各網点４Ｂａ，４Ｂｂ，４Ｂｃからなる第２パターン４Ｂを、第１パターン３Ｂの各縞線３Ｂａ…と平行して同一角度に傾斜してストライプ状にスクリーン印刷している（図３−ｂ参照）。なお、第１パターン３Ｂの各縞線３Ｂａ…を、透光性を有する半透明の塗料で印刷してもよい。
【００４１】
第１パターン３Ｂは、図３−ａの表面から見た平面図に示すように、不透明な白色の塗料からなる各縞線３Ｂａ…を、装飾板２Ｂの表面に対して所定角度に傾斜してストライプ状にスクリーン印刷している。また、各縞線３Ｂａ…の間は、各網点４Ｂａ，４Ｂｂ，４Ｂｃの少なくとも一つの色又は複数の色の視認が許容されるピッチ間隔に隔てられている。
【００４２】
また、各縞線３Ｂａ…は、斜めに配列された各網点４Ｂａ，４Ｂｂ，４Ｂｃの少なくとも一つの色が覆い隠される幅に形成しているが、隣り合う各網点４Ｂａ，４Ｂｂ，４Ｂｃの一部が重複して覆い隠される幅に形成してもよい。
【００４３】
第２パターン４Ｂは、図３−ｂの裏面から見た平面図に示すように、赤色の塗料からなるドット状の各網点４Ｂａ…と、黄色の塗料からなるドット状の各網点４Ｂｂ…と、青色の塗料からなるドット状の各網点４Ｂｃ…とを、第１パターン３Ｂの各縞線３Ｂａ…と平行して同一角度に傾斜してストライプ状にスクリーン印刷している。
【００４４】
各網点４Ｂａ，４Ｂｂ，４Ｂｃは、第１パターン３Ｂの各縞線３Ｂａ…と平行して赤色、黄色、青色の色別に配列しているが、実施例以外の色の配列に変更してもよい。また、各網点４Ｂａ，４Ｂｂ，４Ｂｃは、各縞線３Ｂａ…の間から一部又は全体の視認が許容される大きさ及び形状に形成している。また、各網点４Ｂａ，４Ｂｂ，４Ｂｃの色を変更するか、実施例以外の色に変更する等してもよく、実施例とは異なる色の変化、モアレ模様の変化が得られる。
【００４５】
装飾板２Ｂの表面を正面から見た場合（図１参照）、第１パターン３Ｂの各縞線３Ｂａ…と、第２パターン４Ｂの各網点４Ｂａ…とが重なり合う部分では、各縞線３Ｂａ…により各網点４Ｂａ…の視認が遮られる。或いは、各網点４Ｂａ…の隣りに配置された各網点４Ｂｂ…又は各網点４Ｂｃ…の視認が重複して遮られる。したがって、各縞線３Ｂａ…と重なり合う部分に配置された各網点４Ｂａ…と、各網点４Ｂｂ…及び各網点４Ｂｃ…の一部の色は表面から認識することができない。しかし、各縞線３Ｂａ…の間は、各網点４Ｂａ，４Ｂｂ，４Ｂｃの少なくとも２色の視認が許容される間隔に隔てられているので、装飾板２Ｂを透して、各縞線３Ｂａ…の間から各網点４Ｂｂ…及び各網点４Ｂｃ…と、各網点４Ｂａ…の一部の色とを表面から認識することができる。
【００４６】
また、装飾板２Ｂの表面を右斜め（Ｘ方向）又は左斜め（Ｙ方向）から見た場合（図１参照）、第１パターン３Ｂの各縞線３Ｂａ…と重なり合う部分では、第２パターン４Ｂの各網点４Ｂａ，４Ｂｂ，４Ｂｃの少なくとも一つの色又は複数の色の視認が遮られる。しかし、各縞線３Ｂａ…の間は、各網点４Ｂａ，４Ｂｂ，４Ｂｃの少なくとも２色の視認が許容される間隔に隔てられているので、装飾板２Ｂを透して、各縞線３Ｂａ…の間から第２パターン４Ｂの各網点４Ｂａ…及び各網点４Ｂｂ…と、各網点４Ｂｃ…の一部の色とを表面から認識することができる。
【００４７】
つまり、立体模様装飾板１Ｂの表面を見る方向及び見る角度によって、第１パターン３Ｂの各縞線３Ｂａ…の間から視認することができる第２パターン４Ｂの各網点４Ｂａ，４Ｂｂ，４Ｂｃの色が変化する。また、第１パターン３Ｂの各縞線３Ｂａ…と第２パターン４Ｂの各網点４Ｂａ，４Ｂｂ，４Ｂｃとの重なり合う部分も変化するため、色の変化による立体的なモアレ模様を現出することができ、前記第１実施例と略同等の作用及び効果を奏することができる。
【００４８】
図４は、装飾板２Ｃの表面に格子状の第１パターン３Ｃをスクリーン印刷した立体模様装飾板１Ｃの第３実施例を示している。この立体模様装飾板１Ｃは、装飾板２Ｃの表面に、単一色（黒色）に配色された各横線３Ｃａ…及び各縦線３Ｃｂ…からなる第１パターン３Ｃを格子状にスクリーン印刷している（図４−ａ参照）。また、装飾板２Ｃの裏面には、第１パターン３Ｃの各横線３Ｃａ…及び各縦線３Ｃｂ…とは異なる色に配色された複数色（赤色、黄色、青色）の各網点４Ｃａ，４Ｃｂ，４Ｃｃからなる第２パターン４Ｃを、第１パターン３Ｃの各横線３Ｃａ…及び各縦線３Ｃｂ…と平行して桝目状にスクリーン印刷している（図４−ｂ参照）。
【００４９】
第１パターン３Ｃは、図４−ａの表面から見た平面図に示すように、不透明な黒色の塗料からなる各横線３Ｃａ…と各縦線３Ｃｂ…とを格子状にスクリーン印刷している。また、各横線３Ｃａ…及び各縦線３Ｃｂ…は、各網点４Ｃａ，４Ｃｂ，４Ｃｃの少なくとも一つの色が覆い隠される幅に形成しているが、隣り合う各網点４Ｃａ，４Ｃｂ，４Ｃｃの一部が重複して覆い隠される幅に形成してもよい。
【００５０】
また、各横線３Ｃａ…及び各縦線３Ｃｂ…の間は、各網点４Ｃａ，４Ｃｂ，４Ｃｃの少なくとも一つの色又は複数の色の視認が許容されるピッチ間隔に隔てられている。また、各横線３Ｃａ…と各縦線３Ｃｂ…の間に形成された各開口部３Ｃｃ…は、各網点４Ｃａ，４Ｃｂ，４Ｃｃの少なくとも一つの色又は複数の色の視認が許容される大きさ及び形状に開口している。
【００５１】
第２パターン４Ｃは、図４−ｂの裏面から見た平面図に示すように、赤色の各網点４Ｃａ…を、第１パターン３Ｃの各開口部３Ｃｃ…と対向する位置に配置している。黄色の各網点４Ｃｂ…は、各網点４Ｃａ…の左右位置に配置され、第１パターン３Ｃの各横線３Ｃａ…と重なり合う位置に配列している。また、青色の各網点４Ｃｃ…は、各網点４Ｃａ…の上下位置に配置され、第１パターン３Ｃの各縦線３Ｃｂ…と重なり合う位置に配列している。また、各網点４Ｃａ，４Ｃｂ，４Ｃｃを、各横線３Ｃａ…又は各縦線３Ｃｂ…と平行して赤色、黄色、青色の色別に配列している。なお、各網点４Ｃａ，４Ｃｂ，４Ｃｃは、第１パターン３Ｃの開口部３Ｃｃと対応する大きさ及び形状に形成している。また、各網点４Ｃａ，４Ｃｂ，４Ｃｃの色を変更するか、実施例以外の色に変更する等してもよく、実施例とは異なる色の変化、モアレ模様の変化が得られる。
【００５２】
装飾板２Ｃの表面を正面から見た場合（図１参照）、マ第１パターン３Ｃの各横線３Ｃａ…及び各縦線３Ｃｂ…と、第２パターン４Ｃの各網点４Ｃａ…とが重なり合う部分では、各横線３Ｃａ…及び各縦線３Ｃｂ…により各網点４Ｃａ…の視認が遮られる。或いは、隣りに配置された各網点４Ｃｂ…又は各網点４Ｃｃ…の視認が重複して遮られる。したがって、各横線３Ｃａ…及び各縦線３Ｃｂ…と重なり合う部分に配置された各網点４Ｃａ…と、各網点４Ｃｂ…及び各網点４Ｃｃ…の一部の色は表面から認識することができない。しかし、第１パターン３Ｃの各開口部３Ｃｃ…は、各網点４Ｃａ，４Ｃｂ，４Ｃｃの１色の視認が許容される大きさ及び形状に開口されているので、装飾板２Ｃを透して、第１パターン３Ｃの各開口部３Ｃｃ…から第２パターン４Ｃの各網点４Ｃａ，４Ｃｂ，４Ｃｃの少なくとも一つの色又は複数の色を表面から認識することができる。
【００５３】
また、装飾板２Ｃの表面を右斜め（Ｘ方向）又は左斜め（Ｙ方向）から見た場合、第１パターン３Ｃの各横線３Ｃａ…及び各縦線３Ｃｂ…と重なり合う部分では、第２パターン４Ｃの各網点４Ｃａ，４Ｃｂ，４Ｃｃの少なくとも一つの色又は複数の色の視認が遮られる。しかし、第１パターン３Ｃの各開口部３Ｃｃ…は、各網点４Ｃａ，４Ｃｂ，４Ｃｃの１色の視認が許容される大きさ及び形状に開口されているので、装飾板２Ｃを透して、第１パターン３Ｃの各開口部３Ｃｃ…から第２パターン４Ｃの各網点４Ｃａ，４Ｃｂ，４Ｃｃの少なくとも一つの色又は複数の色を表面から視認することができる。
【００５４】
つまり、立体模様装飾板１Ｃの表面を見る方向及び見る角度によって、第１パターン３Ｃの各開口部３Ｃｃ…を介して視認することができる第２パターン４Ｃの各網点４Ｃａ，４Ｃｂ，４Ｃｃの色が変化する。また、第１パターン３Ｃの各横線３Ｃａ…及び各縦線３Ｃｂ…と第２パターン４Ｃの各網点４Ｃａ，４Ｃｂ，４Ｃｃとの重なり合う部分も変化するため、色の変化による立体的なモアレ模様を現出することができ、前記第１実施例と略同等の作用及び効果を奏することができる。
【００５５】
図５は、第２パターン４Ａの各網点４Ａａ，４Ａｃを、第１パターン３Ａの各網点３Ａａ…と重なり合う位置に配置した立体模様装飾板１Ａの第４実施例を示している。つまり、第１パターン３Ａの各網点３Ａａ…と重なり合う部分に配置された第２パターン４Ａの各網点４Ａａ，４Ａｃの半分の視認が遮られる。第１パターン３Ａの各網点３Ａａ…の間からは、各網点３Ａａ…との重なり合いが回避された第２パターン４Ａの各網点４Ａａ，４Ａｂ，４Ａｃを視認することができる。また、第２パターン４Ａの各網点４Ａｂ，４Ａｃの半分を、第１パターン３Ａの各網点３Ａａ…と重なり合う位置に配置してもよく、前記第１実施例と略同等の作用及び効果を奏することができる。
【００５６】
なお、第２パターン４Ａの各網点４Ａａ，４Ａｃ又は各網点４Ａｂ，４Ａｃの一部を重ね合わせるか、各網点４Ａａ，４Ａｂ，４Ａｃを部分的に重ね合わせて配置する等してもよい。また、第４実施例の構成は、第２実施例の立体模様装飾板１Ｂ及び第３実施例の立体模様装飾板１Ｃにも適用することができる。
【００５７】
本発明は、上述の実施例の構成のみに限定されるものではなく、請求項に示される技術思想に基づいて応用することができ、多くの実施の形態を得ることができる。
【００５８】
例えば第２パターン４Ａの各網点４Ａａ，４Ａｂ，４Ａｃと、第２パターン４Ｂの各網点４Ｂａ，４Ｂｂ，４Ｂｃと、第２パターン４Ｃの各網点４Ｃａ，４Ｃｂ，４Ｃｃを所定間隔に隔てて配置してもよい。
【００５９】
また、第２パターン４Ａの各網点４Ａａ，４Ａｂ，４Ａｃと、第２パターン４Ｂの各網点４Ｂａ，４Ｂｂ，４Ｂｃと、第２パターン４Ｃの各網点４Ｃａ，４Ｃｂ，４Ｃｃを、第１パターン３Ａの各網点３Ａａ…と、第１パターン３Ｂの各縞線３Ｂａ…とは異なるピッチ間隔に隔てて配列してもよい。
【図面の簡単な説明】
【００６０】
【図１】第１実施例の立体模様装飾板を示す縦断側面図。
【図２】図１の立体模様装飾板の印刷２パターンを示す表裏平面図。
【図３】第２実施例の立体模様装飾板の印刷パターンを示す表裏平面図。
【図４】第３実施例の立体模様装飾板の印刷パターンを示す表裏平面図。
【図５】第２パターンの各網点を第１パターンの各網点と重なり合う位置に配置した例を示す縦断側面図。
【符号の説明】
【００６１】
１Ａ，１Ｂ，１Ｃ…立体模様装飾板
２Ａ，２Ｂ，２Ｃ…装飾板
３Ａ，３Ｂ，３Ｃ…第１パターン
３Ａａ…網点
３Ｂａ…縞線
３Ｃａ…横線
３Ｃｂ…縦線
３Ｃｃ…開口部
４Ａ，４Ｂ，４Ｃ…第２パターン
４Ａａ〜４Ａｃ…網点
４Ｂａ〜４Ｂｃ…網点
４Ｃａ〜４Ｃｃ…網点
【図１】
2009018434.tif 000003
【図２】
2009018434.tif 000004
【図３】
2009018434.tif 000005
【図４】
2009018434.tif 000006
【図５】
2009018434.tif 000007